(57)【要約】【課題】アッパーキャビネットの背面側に設けた上下昇降式の昇降棚の前面側のスペースを有効利用するために、このスペースに調味料等の小物を容易に置くことができる小物置き部を設け、しかも意匠性やコスト面で優位となる構造のキャビネットを実現する。【解決手段】壁面の上方位置に設置され、天板、左右の側板、背板、底板及び扉を有する箱体の内部に収納部を備えたキャビネットユニットを備えたキャビネットにおいて、背板１４の前面側に上下に昇降する昇降棚２３を取り付けて昇降棚付きキャビネットユニット７を設け、この昇降棚付きキャビネットユニット４６の昇降棚２３の前側であって、底板１５と左右の側板１３で囲まれる空間に小物置き用筺３９を装着した。【選択図】図３
2007029307.tif 000002
【特許請求の範囲】
【請求項１】
壁面の上方位置に設置され、天板、側板、背板、底板及び扉を有する箱体の内部に収納部を備えたキャビネットユニットを備えたキャビネットであって、
前記キャビネットユニットは、背板の前面側に上下に昇降する昇降棚を取り付け、昇降棚の前側に小物置き部を形成したことを特徴とするキャビネット。
【請求項２】
壁面の上方位置に設置され、天板、側板、背板、底板及び扉を有する箱体の内部に収納部を備えた複数のキャビネットユニットを備えたキャビネットであって、
前記複数のキャビネットユニットには、背板の前面側に上下に昇降する昇降棚を取り付けてなる昇降棚付きキャビネットユニットが含まれており、該昇降棚付きキャビネットユニットの昇降棚の前側に小物置き部を形成し、
前記小物置き部は、前記複数のキャビネットユニットのうち他のキャビネットユニットに跨って配置されていることを特徴とするキャビネット。
【請求項３】
請求項１又は２記載のキャビネットであって、前記昇降棚の下面と、小物置き部の下面が略同一の高さに位置する構成としたことを特徴とするキャビネット。
【請求項４】
請求項１から３記載のいずれかに記載のキャビネットであって、前記側板の前側下部の角部に切り欠き部が形成されていることを特徴とするキャビネット。
【発明の詳細な説明】
【技術分野】
【０００１】
本発明は、キャビネットに関し、特に、キッチンのシンク上方に収納空間を提供するアッパーキャビネットとして適用可能なキャビネットに関する。
【背景技術】
【０００２】
キッチンのアッパーキャビネットにはいろいろな構造のものがある。例えば、キッチンのアッパーキャビネットの後方に収納スペースを設け、この収納スペースに下方へ移動自在の移動棚を取り付けた構成は公知である（特許文献１参照）。
【０００３】
また、キッチンのアッパーキャビネットの背板を壁から一定間隔を形成して、その前面部を小物置きとする構成は公知である（特許文献２参照）。また、キッチンのアッパーキャビネットの下面に、食器乾燥庫を下側へ突出して設けた構成も公知である（特許文献３参照）。さらに、キッチンにおいて、複数の種類のアッパーキャビネットを互いに隣接して設けた構成は公知である（特許文献４参照）。
【特許文献１】特開平１−２９３８０６号公報
【特許文献２】実開平２−１３２４４７号公報
【特許文献３】実公平５−０２９６４５号公報
【特許文献４】特開平７−３２２９２７号公報
【発明の開示】
【発明が解決しようとする課題】
【０００４】
上記のとおり、キッチンのアッパーキャビネットには、いろいろな構造のものがあるが、アッパーキャビネットにおいて、従来、背面側に上下昇降式の昇降棚を設けたものでは、昇降棚が最上位に位置して、その昇降棚上に収納された物品がアッパーキャビネット内に収納された状態において、その前方のスペースが利用されず、デッドスペースとなってしまう。
【０００５】
本発明は、上記従来の問題を解決することを目的とし、アッパーキャビネットの背面側に設けた上下昇降式の昇降棚の前面側のスペースを有効利用することを課題とするものであり、この昇降棚の前面側のスペースに調味料等の小物を容易に置くことができる小物置き部を設け、しかも意匠性やコスト面で優位となる構造のキャビネットを実現するものである。
【課題を解決するための手段】
【０００６】
本発明は上記課題を解決するために、壁面の上方位置に設置され、天板、側板、背板、底板及び扉を有する箱体の内部に収納部を備えたキャビネットユニットを備えたキャビネットであって、前記キャビネットユニットは、背板の前面側に上下に昇降する昇降棚を取り付け、昇降棚の前側に小物置き部を形成したことを特徴とするキャビネットを提供する。
【０００７】
本発明は上記課題を解決するために、壁面の上方位置に設置され、天板、側板、背板、底板及び扉を有する箱体の内部に収納部を備えた複数のキャビネットユニットを備えたキャビネットであって、前記複数のキャビネットユニットには、背板の前面側に上下に昇降する昇降棚を取り付けてなる昇降棚付きキャビネットユニットが含まれており、該昇降棚付きキャビネットユニットの昇降棚の前側に小物置き部を形成し、前記小物置き部は、前記複数のキャビネットユニットのうち他のキャビネットユニットに跨って配置されていることを特徴とするキャビネットを提供する。
【０００８】
前記昇降棚の下面と、小物置き部の下面が略同一の高さに位置する構成としてもよい。
【０００９】
前記側板の前側下部の角部に切り欠き部が形成されている構成としてもよい。
【発明の効果】
【００１０】
本発明に係るキャビネットによれば、次のような顕著な効果が生じる。
（１）アッパーキャビネットの背面側に設けた上下昇降式の昇降棚の前面側のスペースを有効利用することができ、収納部を広げることができる。
【００１１】
（２）シンク上方であって、それほど高くない箇所に、調味料等の小物を容易に置いたり取り出したりすることのできる収納部があると、きわめて有用であるが、このような収納部を、キッチン全体の意匠性を損なわずに、しかも低コストで提供することができる。
【発明を実施するための最良の形態】
【００１２】
本発明に係るキャビネットを実施するための最良の形態を実施例に基づき図面を参照して、以下説明する。
【実施例１】
【００１３】
本発明に係るキャビネットの実施例１を、図１〜３で説明する。図１（ａ）は、本発明の実施例１であるキャビネット１をキッチンに設置した状態の全体構成を示す。
【００１４】
この実施例１のキャビネット１は、シンク２及びコンロ３等を有するシンクキャビネット４の上方位置に設置されるアッパーキャビネットである。５は複数のキャビネット１に隣接して配置されたレンジフードである。
【００１５】
この実施例のキャビネット１は、通常のキャビネットユニット６と、昇降棚を有する昇降棚付きキャビネットユニット７が隣接するように並置されて構成されている。通常のキャビネットユニット６は、天板８、左右の側板９、背板、底板、扉１０からなる箱体１１から形成され、内部に収納部を有している。なお、本明細書では、「通常のキャビネットユニット」とは昇降棚を特に持たないキャビネットユニットを言う。
【００１６】
昇降棚付きキャビネットユニット７は、図２（ａ）、（ｂ）及び図３に示すように、天板１２、左右の側板１３、背板１４、底板１５、扉１６からなる箱体１７を本体とし、その内部に収納部１８を有している。底板１５は、奥行き方向の幅は箱体１７の奥行きのほぼ半分程度であり、箱体１７内の前側に側板１３の下端より上方に水平に配置されている。
【００１７】
収納部１８は、図２（ａ）、図３（ａ）、（ｂ）で示すように、天板１２、左右の側板１３、背壁１９、底板１５及び扉１６で囲まれた空間である。この実施例１の昇降棚付きキャビネットユニット７の収納部１８には、棚板２０が取り付けられており、扉１６で開閉可能である。なお、この実施例１では、昇降棚付きキャビネットユニット７の扉１６は、図２（ａ）、（ｂ）に示すように、両開き扉であるが、図２（ｃ）に示すように、上方に開くことのできる扉であってもよい。
【００１８】
昇降棚付きキャビネットユニット７の収納部１８の背面側で背板１４の前側のスペースには、昇降棚装置２１が配設されている。昇降棚装置２１は、昇降フレーム２２と、この昇降フレーム２２の下端の前面側に水平に取り付けられた昇降棚２３を備えており、昇降フレーム２２及び昇降棚２３は、昇降機構２４によって上下動できる構成となっている。
【００１９】
昇降棚２３は、その横幅は昇降棚付きキャビネットユニット７の間口より小さく左右の側板１３内に収まる寸法であり、その前後幅は昇降棚付きキャビネットユニット７の奥行のほぼ半分程度の寸法に形成される。昇降機構２４は、昇降棚２３が上下方向に移動できれば、手動式でも電動式でもよく、いろいろな構成があるが、一例として、使用者が手動で昇降棚２３を上下動できる昇降機構を図７（ａ）〜（ｄ）で説明する。
【００２０】
図７（ａ）、（ｃ）は昇降機構２４を正面側から見た図であり、これらの図のＡ−Ａ断面を図７（ｂ）、（ｄ）に示す。図７（ａ）、（ｂ）は、図３（ａ）に示すように、昇降棚２３が上昇し昇降棚付きキャビネットユニット７内に収納されている位置にあり、図７（ｃ）、（ｄ）は、図３（ｂ）に示すように、昇降棚２３が下降し昇降棚付きキャビネット７の下方の位置にある状態をそれぞれ示している。
【００２１】
この昇降機構２４は、背板１４の前面に上下方向に延びるレール部材２５が固定されており、このレール部材２５に昇降フレーム２２が上下方向に摺動可能に取り付けられている。具体的には、レール部材２５としてリニア軸受を利用し、このリニア軸受に摺動可能な摺動部材を昇降フレーム２２に取り付けた構造とすれば、昇降フレーム２２は、スムースに上下動可能となる。
【００２２】
レール部材２５の上端には渦巻きバネ２６がケース２７を介して背板１４に固定されている。渦巻きバネ２６の自由端は昇降フレーム２２に固定されている。これにより、渦巻きバネ２６の弾力が昇降フレーム２２の上方に作用する。そして、レール部材２５の左右の両側面には、鋸歯状のストッパラック２８が設けられている。
【００２３】
昇降フレーム２２には、Ｕ型の操作杆２９の左右の軸部３０が昇降フレーム２２の左右の支持部３１によって上下動可能に装着されている。操作杆２９の左右の軸部３０の上端は、それぞれＺ型のストッパラッチ３２の下部外端に枢着されている。ストッパラッチ３２は、その下部内端で昇降フレーム２２の一部に枢支されており、上部内端はストッパラック２８に噛み合う係合部となっている。
【００２４】
昇降フレーム２２の支持部３１と、操作杆２９の軸部３０に固定されたバネ受け３３との間に圧縮コイルバネ３４が設けられており、その弾力で昇降フレーム２２に対して操作杆２９を上方に付勢している。これにより、ストッパラッチ３２は、その係合部がストッパラック２８に噛み合うように枢支軸３５を中心に付勢されている。
【００２５】
昇降フレーム２２のハンドル３６に手をかけて操作杆２９の把持部３７をコイルバネ３４の弾力に抗して下方に引くと、ストッパラッチ３２の係合が解除可能である。この状態で、図３（ｂ）、図７（ｃ）、（ｄ）に示すように、渦巻きバネ２６の弾力に抗して、ハンドルを３６を下方に引き下げると、昇降フレーム２２及び昇降棚２３は下方に摺動して降下する。
【００２６】
昇降フレーム２２及び昇降棚２３を下降し所望の位置で、操作杆２９の把持部３７を元に戻すと、コイルバネ３４の弾力で、操作杆２９は上方に移動してストッパラッチ３２がストッパラック２８に係合し、昇降フレーム２２及び昇降棚２３を下降位置に停止することができる。
【００２７】
昇降フレーム２２及び昇降棚２３を上昇させる場合は、上記同様の操作によりストッパラッチ３２の係合を解除すれば、渦巻きバネ２６の弾力により昇降フレーム２２及び昇降棚２３を上昇させることができる。そして、昇降棚２３はその最上位で図３（ａ）に示すように、昇降棚付きキャビネットユニット７内に収納される。
【００２８】
図２（ａ）、（ｂ）、図３（ａ）、（ｂ）に示すように、左右の側板１３の間であって、底板１５の下方、且つ昇降棚装置２１の前方のスペースに小物置き部３８が形成されている。この小物置き部３８の構成としては、いろいろな構造が考えられるが、この実施例１では、小物置き用筺３９が装着されている。この小物置き用筺３９は、天板４０、底板４１、左右側板４２及び背板４４とからなる。
【００２９】
小物置き用筺３９は、昇降棚付きキャビネットユニット７の左右の側板１３の間において、その天板４０が底板１５の下面にボルト及びナットで固定される。小物置き用筺３９の高さは、小物置き用筺３９を左右の側板１３の間に固定した状態で小物置き用筺３９の底板４１と左右側板１３の下端の位置が同じとなるように形成されている。
【００３０】
図１（ｂ）は、通常のキャビネットユニット６と昇降棚付きキャビネットユニット７の高さの比較を示す図である。この実施例１では、通常のキャビネットユニット６の高さＨ１と昇降棚付きキャビネットユニット７における底板１５から天板１２までの高さＨ１がほぼ同じであり、これにより、同一規格の扉１０を通常のキャビネットユニット６と昇降棚付きキャビネットユニット７に取り付けることができる。Ｈ２は、昇降棚付きキャビネットユニット７の天板１２と小物置き用筺３９の底板４１の間の高さを示す。
【００３１】
図１（ｂ）の右側の図に示すように、昇降棚付きキャビネットユニット７の高さをＨ２より大きな高さＨ３のもの（ロングアッパーキャビネット）としてもよい。なお、図２（ｄ）は、実施例１の変形例を示す斜視図である。この変形例では、左右の側板１３は、前側部は縦幅（高さ）が小さく、後方部は縦幅（高さ）が大きく、要するに、矩形の板の前側下部の角部が直角に切り欠きされた切り欠き部４３が形成されている。そして、この切り欠き部４３に嵌合するように小物置き用筺３９が取り付けられている。
【００３２】
（作用）
以上のような構成から成るキャビネットを使用する際には、小物置き用筺３９には小物を必要に応じて収納できる。さらに、昇降棚２３は、操作杆２９を操作してストッパラッチ３２をストッパラック２８からの係合を解除し、ハンドル３６で昇降フレーム２２を下方に引くことで、昇降棚２３を、図３（ｂ）に示すように、 昇降棚付きキャビネットユニット７から下方の位置に引き出すことができる。また、図３（ａ）に示すように、昇降棚２３の上に収納物を載置して上方に上げれば、昇降棚２３に載置した収納物を、昇降棚付きキャビネットユニット７内に収納することができる。
【００３３】
このようにして、前面側に設けた小物置き用筺３９に小物を収納したり、取り出したりすることができ、しかも、小物置き用筺３９の背面側の左右の側板１３で囲まれたスペースに昇降棚２３に収納した収納物を収納し、昇降棚２３を降下させた位置で昇降棚２３に収納した収納物を取り出したりすることができる。
【００３４】
なお、昇降棚２３が最上位の位置では、上記のとおり、昇降棚付きキャビネットユニット７内に昇降棚２３が収納された状態となるが、この位置では、昇降棚２３の下面が左右の側板１３のほぼ下端の位置となり、且つ、小物置き筺の下面とほぼ同一の高さに位置し、さらに通常のキャビネットの下面ともほぼ同一の高さに位置となる。よって、昇降棚２３が昇降棚付きキャビネットユニット７内に収納された状態では、キャビネットを下方から見て凹凸などがなく、見た目もよく意匠性にも優れている。
【実施例２】
【００３５】
本発明に係るキャビネットの実施例２を、図４〜６で説明する。この実施例２のキャビネットは、実施例１と殆ど同じ構成であるので、以下、実施例１と異なる構成を中心に説明する。図４（ａ）は、本発明の実施例２であるキャビネットをキッチンに設置した状態の全体構成を示す。
【００３６】
この実施例２のキャビネット４５は、通常のキャビネットユニット６と昇降棚付きキャビネットユニット４６が互いに隣接するように並置されて構成されている。ここで、通常のキャビネットユニット６は、実施例１と同じである。
【００３７】
実施例２における昇降棚付きキャビネットユニット４６は、図５（ａ）、図６（ａ）に示すように、実施例１と同様に、天板１２、左右の側板１３’、背板１４、底板１５及び、扉１６からなる箱体１７’を本体とし、内部に収納部１８を有している。
【００３８】
左右の側板１３’は、前側部は縦幅（高さ）が小さく、後方部は縦幅（高さ）が大きく、要するに、矩形の板の前側下部の角部が直角に切り欠きされた切り欠き部４７が形成されている。底板１５は、左右の側板１３’の間であって、前側部の下端の高さにおいて水平に配置されている。なお、この実施例２の昇降棚付きキャビネットユニット４６は、図５に示すような両開きの扉を設けているが、実施例１と同様に、図６（ｂ）に示すような上方に開く扉としてもよい。   
【００３９】
収納部１８は、実施例１と同様の構成であり、図６（ａ）に示すように、収納部１８の背面側に昇降棚装置２１が配設されている。昇降棚装置２１も、実施例１と同様な構成であり、昇降棚２３が最上位の位置で、左右の側板１３’の後側部の下端の位置となる。これにより、図６（ａ）の点線で示すように、昇降棚２３は、昇降棚付きキャビネットユニット４６内の左右の側板１３’の後側部に対応するスペースに昇降棚２３が収納された状態となる。
【００４０】
この実施例２のキャビネット４５においても、実施例１と同様に、昇降棚２３の前方のスペースに小物置き部３８が形成されるが、実施例２では、小物置き部４８が昇降棚付きキャビネットユニット４６と通常のキャビネットユニット６に跨って形成される構成を特徴とする。即ち、小物置き部４８として小物置き用筺４９が、昇降棚付きキャビネットユニット４６と通常のキャビネットユニット６に跨って装着されている。
【００４１】
小物置き用筺４９は、図５（ａ）、（ｂ）に示すように、天板５０、底板５１、左右側板５２及び背板５３とからなる。図５（ａ）に示す小物置き用筺４９は、大きな横幅（間口）を有する１つの筺であるが、図５（ｂ）に示すように、小さな横幅（間口）を有する複数の筺５４を直列的に組み合わせてもよい。また、小物置き用筺４９は、図６（ｃ）に示すように、昇降棚付きキャビネットユニット４６と通常のキャビネットユニット６の一部に跨るような長さのものでもよい。
【００４２】
図５（ａ）に示すように、小物置き用筺４９は、昇降棚付きキャビネットユニット４６の左右の側板１３’の切り欠きに部４７に嵌合するように配置する。そして、小物置き用筺４９の天板５０が昇降棚付きキャビネットユニット４６の底板１５及び通常のキャビネットユニット６の底板に当接され、ボルトで夫々の底板１５に固定される。このようにして、小物置き用筺４９は、昇降棚付きキャビネットユニット４６と通常のキャビネットユニット６に跨って装着されている。
【００４３】
なお、図４（ｂ）は、図１（ｂ）と同様に、通常のキャビネットユニット６と昇降棚付きキャビネットユニット４６の高さの比較を示す図であるが、この実施例２では、通常のキャビネットユニット６の高さＨ１と、昇降棚付きキャビネットユニット４６の底板１５から天板１２までの高さＨ１がほぼ同じである。そして、小物置き用筺４９の底板１５から昇降棚付きキャビネットユニット４６の天板１２までの高さが、左右の側板１３’の後側部下端から天板１２までの高さＨ２とほぼ同じである。
【００４４】
なお、実施例２についても、実施例１で図１（ｂ）に示すものと同様に、昇降棚付きキャビネットユニットの高さをＨ２より、大きな高さＨ３のもの（ロングアッパーキャビネット）としてもよい。
【００４５】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４６】
以上、本発明に係るキャビネットを説明したが、このような構成のキャビネットは、キッチンのアッパーキャビネットに限らず、背面側に昇降棚を備えた収納キャビネットであれば、洗面キャビネット等、その他いろいろな収納用キャビネットにも適用することもできる。
【図面の簡単な説明】
【００４７】
【図１】本発明に係るキャビネットの実施例１を説明する図であり、（ａ）はキャビネットの全体構成を説明する斜視図であり、（ｂ）はキャビネットユニットの高さ寸法の関係を説明する図である。
【図２】実施例１のキャビネットを構成する昇降棚付きキャビネットユニットを説明する図であり、（ａ）は昇降棚付きキャビネットを示し、（ｂ）は昇降棚付きキャビネット（右側）と通常のキャビネット（左側）を示し、（ｃ）は昇降棚付きキャビネットの別の構成を示す、それぞれの斜視図である。（ｄ）は、実施例１の変形例を示す斜視図である。
【図３】実施例１のキャビネットの内部の構成を側方から見た図であり、（ａ）、（ｂ）は、昇降棚が上下のそれぞれの位置にある状態を示す。
【図４】本発明に係るキャビネットの実施例２を説明する図であり、（ａ）はキャビネットの全体構成を説明する斜視図であり、（ｂ）はキャビネットユニットの高さ寸法の関係を説明する図である。
【図５】（ａ）は実施例２のキャビネットを構成するキャビネットユニット及び小物置き用筺を説明する斜視図であり、（ｂ）は小物置き用筺の別の構成を示す斜視図である。
【図６】（ａ）は実施例２のキャビネットの内部を側方から見た図であり、（ｂ）は昇降棚付きキャビネットの別の構成を示し、（ｃ）は小物置き用筺の別の構成を説明するための平面図である。
【図７】図７（ａ）、（ｃ）は、実施例１、２の昇降機構を正面側から見た図であり、これらの図のＡ−Ａ断面を図７（ｂ）、（ｄ）に示す。
【符号の説明】
【００４８】
１、４５  キャビネット                              
２  シンク                                              
３  コンロ                                              
４  シンクキャビネット                                  
５  レンジフード                                        
６  通常のキャビネットユニット                          
７、４６  昇降棚付きキャビネットユニット                      
８  通常のキャビネットユニットの天板                    
９  通常のキャビネットユニットの左右の側板              
１０  通常のキャビネットユニットの扉                       
１１  通常のキャビネットユニットの箱体                     
１２  昇降棚付きキャビネットユニットの天板                 
１３、１３’  昇降棚付きキャビネットユニットの左右の側板           
１４  昇降棚付きキャビネットユニットの背板                 
１５  昇降棚付きキャビネットユニットの底板                                    
１６  昇降棚付きキャビネットユニットの扉                   
１７、１７’  昇降棚付きキャビネットユニットの箱体                 
１８  昇降棚付きキャビネットユニットの収納部               
１９  収納部の背壁                                         
２０  収納部の棚板                                         
２１  昇降棚装置                                           
２２  昇降フレーム                                         
２３  昇降棚                                               
２４  昇降機構                                             
２５  レール部材                                           
２６  渦巻きバネ                                           
２７  渦巻きバネのケース                                   
２８  鋸歯状のストッパラック                               
２９  操作杆                                               
３０  操作杆の左右の軸部                                   
３１  昇降フレームの左右の支持部                           
３２  ストッパラッチ                                       
３３  バネ受け                                             
３４  圧縮コイルバネ                                       
３５  ストッパラッチの枢支軸                               
３６  昇降フレームのハンドル                               
３７  操作杆の把持部                                       
３８、４８  小物置き部                                           
３９、４９、５４  小物置き用筺                                         
４０、５０  小物置き用筺の天板                                   
４１ 、５１ 小物置き用筺の底板                                   
４２、５２  小物置き用筺の左右側板                               
４４、５３  小物置き用筺の背板                                   
４７  側板の切り欠き部                                     
【図１】
2007029307.tif 000003
【図２】
2007029307.tif 000004
【図３】
2007029307.tif 000005
【図４】
2007029307.tif 000006
【図５】
2007029307.tif 000007
【図６】
2007029307.tif 000008
【図７】
2007029307.tif 000009